(57)【特許請求の範囲】
【請求項１】
複数の第２データユニットから障害状態をそれぞれ検出し、検出されたそれぞれの障害状態を示す第１の障害データを対応する第２データユニットのオーバーヘッドに付加し、前記第１の障害データが付加された前記複数の第２データユニットを生成する第１の生成手段と、
前記第１の生成手段により生成された前記複数の第２データユニットを含む第１データユニットを生成すると共に、前記複数の第２データユニットのオーバーヘッドから前記第１の障害データをそれぞれ抽出し、抽出されたそれぞれの前記第１の障害データから前記複数の第２データユニットのうち障害が発生している第２データユニットを示す第２の障害データを生成する第２の生成手段と、
前記第２の生成手段により生成された前記第２の障害データを、前記第１データユニットのうち前記複数の第２データユニットが位置するデータ部分とは異なるデータ部分に付加する付加手段と
を備えることを特徴とする送信装置。
【請求項２】
前記複数の第２データユニットは、第３データユニットを更に含み、
前記付加手段は、前記第３データユニットの障害状態を示す第３の障害データを、前記第１データユニットのうち前記複数の第２データユニットが位置するデータ部分とは異なるデータ部分及び前記第２データユニットそれぞれのうちの前記第３データユニットが位置するデータ部分とは異なるデータ部分の少なくとも一方に付加することを特徴とする請求項１に記載の送信装置。
【請求項３】
前記第２の障害データは、前記複数の第２データユニットのそれぞれの第２データユニットの単位での障害発生数及び前記それぞれの第２データユニットよりも細分化された細分ユニットの単位の障害発生数を示すことを特徴とする請求項１に記載の送信装置。
【請求項４】
前記第２の生成手段は、前記複数の第２データユニットをペイロード部分に含む第１データユニットを生成し、
前記付加手段は、前記第２の障害データを、前記第１データユニットのオーバーヘッド部分に付加することを特徴とする請求項１に記載の送信装置。
【請求項５】
前記第１データユニット及び前記複数の第２データユニットは、ＩＴＵ−Ｔ勧告のＯＴＮ準拠の光データユニットであることを特徴とする請求項１に記載の送信装置。
【請求項６】
前記第１データユニットは、ＩＴＵ−Ｔ勧告のＯＴＮ準拠の光データユニットであり、前記複数の第２データユニットは、前記ＯＴＮ準拠の光データユニット以外のデータユニットであることを特徴とする請求項１に記載の送信装置。
【請求項７】
複数の第２データユニットを含む第１データユニットを取得する取得手段と、
前記取得手段により取得された前記第１データユニットから、前記複数の第２データユニットのうち障害が発生している第２データユニットを示す第２の障害データを抽出する抽出手段と
を更に備えることを特徴とする請求項１に記載の送信装置。
【請求項８】
複数の第２データユニットから障害状態をそれぞれ検出し、検出されたそれぞれの障害状態を示す第１の障害データを対応する第２データユニットのオーバーヘッドに付加し、前記第１の障害データが付加された前記複数の第２データユニットを生成する第１の生成手段と、
前記第１の生成手段により生成された前記複数の第２データユニットを含む第１データユニットを生成すると共に、前記複数の第２データユニットのオーバーヘッドから前記第１の障害データをそれぞれ抽出し、抽出されたそれぞれの前記第１の障害データから前記複数の第２データユニットのうち障害が発生している第２データユニットを示す第２の障害データを生成する第２の生成手段と、
前記第２の生成手段により生成された前記第２の障害データを、前記第１データユニットのうち前記複数の第２データユニットが位置するデータ部分とは異なるデータ部分に付加する付加手段と、
複数の第２データユニットを含む第１データユニットであって、且つ前記複数の第２データユニットが位置するデータ部分とは異なるデータ部分に、前記複数の第２データユニットのうち障害が発生している第２データユニットを示す第２の障害データが付加された第１データユニットを取得する取得手段と、
前記取得手段により取得された前記第１データユニットから前記第２の障害データを抽出する抽出手段と
を備えることを特徴とする受信装置。
【請求項９】
前記複数の第２データユニットは、第３データユニットを更に含み、
前記第３データユニットの障害状態を示す第３の障害データが、前記第１データユニットのうち前記複数の第２データユニットが位置するデータ部分とは異なるデータ部分及び前記複数の第２データユニットそれぞれのうちの前記第３データユニットが位置するデータ部分とは異なるデータ部分の少なくとも一方に付加されていることを特徴とする請求項８に記載の受信装置。
【請求項１０】
前記第２の障害データは、前記複数の第２データユニットのそれぞれの第２データユニットの単位での障害発生数及び前記それぞれの第２データユニットよりも細分化された細分ユニットの単位での障害発生数を示すことを特徴とする請求項８に記載の受信装置。
【請求項１１】
前記複数の第２データユニットは、前記第１データユニットのペイロード部分に含まれており、
前記第２の障害データは、前記第１データユニットのオーバーヘッド部分に付加されていることを特徴とする請求項８に記載の受信装置。
【請求項１２】
前記第１データユニット及び前記複数の第２データユニットは、ＩＴＵ−Ｔ勧告のＯＴＮ準拠の光データユニットであることを特徴とする請求項８に記載の受信装置。
【請求項１３】
前記第１データユニットは、ＩＴＵ−Ｔ勧告のＯＴＮ準拠の光データユニットであり、前記複数の第２データユニットは、前記ＯＴＮ準拠の光データユニット以外のデータユニットであることを特徴とする請求項８に記載の受信装置。
【請求項１４】
複数の第２データユニットから障害状態をそれぞれ検出し、検出されたそれぞれの障害状態を示す第１の障害データを対応する第２データユニットのオーバーヘッドに付加し、前記第１の障害データが付加された前記複数の第２データユニットを生成する第１の生成工程と、
前記第１の生成工程により生成された前記複数の第２データユニットを含む第１データユニットを生成すると共に、前記複数の第２データユニットのオーバーヘッドから前記第１の障害データをそれぞれ抽出し、抽出されたそれぞれの前記第１の障害データから前記複数の第２データユニットのうち障害が発生している第２データユニットを示す障害データを生成する第２の生成工程と、
前記第２の生成手段により生成された前記第２の障害データを、前記第１データユニットのうち前記複数の第２データユニットが位置するデータ部分とは異なるデータ部分に付加する付加工程と
を備えることを特徴とする送信方法。
【請求項１５】
複数の第２データユニットから障害状態をそれぞれ検出し、検出されたそれぞれの障害状態を示す第１の障害データを対応する第２データユニットのオーバーヘッドに付加し、前記第１の障害データが付加された前記複数の第２データユニットを生成する第１の生成工程と、
前記第１の生成工程により生成された前記複数の第２データユニットを含む第１データユニットを生成すると共に、前記複数の第２データユニットのオーバーヘッドから前記第１の障害データをそれぞれ抽出し、抽出されたそれぞれの前記第１の障害データから前記複数の第２データユニットのうち障害が発生している第２データユニットを示す障害データを生成する第２の生成工程と、
前記第２の生成手段により生成された前記第２の障害データを、前記第１データユニットのうち前記複数の第２データユニットが位置するデータ部分とは異なるデータ部分に付加する付加工程と、
複数の第２データユニットを含む第１データユニットであって、且つ前記複数の第２データユニットが位置するデータ部分とは異なるデータ部分に、前記複数の第２データユニットのうち障害が発生している第２データユニットを示す第２の障害データが付加された第１データユニットを取得する取得工程と、
前記取得工程により取得された前記第１データユニットから前記第２の障害データを抽出する抽出工程と
を備えることを特徴とする受信方法。
【発明の詳細な説明】
【技術分野】
【０００１】
本発明は、例えばデータの送信や受信を行う送信装置及び受信装置、並びに送信方法及び受信方法に関し、より具体的には例えば基幹伝送路としてのバックボーン回線上でのデータの送信や受信を行う送信装置及び受信装置、並びに送信方法及び受信方法に関する。
【背景技術】
【０００２】
バックボーン回線等の基幹伝送路又はその他の伝送路等に採用される通信規格として、ＩＴＵ−Ｔ（International Telecommunication Union Telecommunication Standardization Sector）勧告のＯＴＮ（Optical Transport Network）が提案されている。ＯＴＮでは、データを送受信する単位であるデータユニット（或いは、データフレーム）の一つとして、ＯＤＵ（Optical channel Data Unit）が定義されている。【０００３】
ＩＴＵ−Ｔでは、ＯＤＵの多重化が許可されている。例えば、複数チャンネルの低次のＯＤＵをペイロード部（例えば、ＯＰＵ（Optical channel Payload Unit）ペイロード部）に含む高次のＯＤＵを利用することが許可されている。より具体的には、例えば、複数チャンネルのＯＤＵ０をペイロード部に含むＯＤＵ２を利用することが許可されている。更には、夫々に低次のＯＤＵが多重化された複数チャンネルの高次のＯＤＵを、更に高次のＯＤＵに多重化することも許可されている。より具体的には、例えば、夫々に複数チャンネルのＯＤＵ０が多重化された複数チャンネルのＯＤＵ２を、更にＯＤＵ４に多重化する（つまり、ＯＤＵ４のペイロード部に含める）ことが許可されている。
【先行技術文献】
【特許文献】
【０００４】
【特許文献１】特開２００４−２６６４８０号公報
【発明の概要】
【発明が解決しようとする課題】
【０００５】
現在提案されているＯＴＮでは、低次のＯＤＵが高次のＯＤＵに多重化されている場合には、送信装置や受信装置等の伝送装置は、低次のＯＤＵのレベルでの同期を取らなければ低次のＯＤＵに生じている障害（言い換えれば、誤りないしはエラー）を認識することができない。つまり、伝送装置は、高次のＯＤＵに多重化されている複数チャンネルの低次のＯＤＵを分離すると共に当該分離された低次のＯＤＵの同期を取ることで初めて低次のＯＤＵに生じている障害を認識することができる。このため、ＯＤＵが多重されている場合には、多重化されているＯＤＵの数に合わせて同期回路を伝送装置内に複数設ける必要が生ずる。従って、伝送装置の回路規模ないしは処理負荷が増大してしまうという技術的な問題点が生ずる。【０００６】
また、ＯＤＵの多重化に限らず、１０ＧｂＥ（Giga bit Ethernet）やＧｂＥにおけるイーサネット（登録商標）フレームやＳＤＨ（Synchronous Digital Hierarchy）におけるＳＴＭ（Synchronous Transport Module）フレームやＳＯＮＥＴ（Synchronous Optical Network）におけるＳＴＳ（Synchronous Transport Signal）フレームないしはＯＣ（Optical Carrier）信号をＯＤＵのペイロード部にマッピングする場合にも同様のことが言える。具体的には、このようなマッピング処理が行われている場合には、伝送装置は、ＯＤＵにマッピングされているフレームをデマッピングすると共に当該デマッピングされたフレームの同期を取らなければ、フレームに生じている障害を認識することができない。従って、場合によっては、フレームに生じている障害を認識するためだけにデマッピング処理や同期処理を行わなければならない。このため、伝送装置の回路規模ないしは処理負荷が増大してしまうという技術的な問題点が生ずる。【０００７】
本発明が解決しようとする課題には上記のようなものが一例として挙げられる。本発明は、例えば回路規模ないしは処理負荷を低減しつつも多重化された又はマッピングされたデータユニットの障害数を好適に認識することが可能な送信装置及び受信装置、並びに送信方法及び受信方法を提供することを目的とする。
【課題を解決するための手段】
【０００８】
上記課題は、生成手段と付加手段とを備える送信装置によって解決される。生成手段は、第１データユニットを生成する。第１データユニットは、その内部（例えば、ペイロード部）に第２データユニットを含んでいる。付加手段は、第２データユニットの障害状態を示す障害データを、第１データユニットに付加する。このとき、付加手段は、障害データを、第１データユニットのうち第２データユニットが位置するデータ部分とは異なるデータ部分（例えば、オーバーヘッド部）に付加する。障害データが付加された第１データユニットは、例えば対向側の受信装置に対して送信される。【０００９】
上記課題は、取得手段と抽出手段とを備える受信装置によって解決される。取得手段は、例えば対向側の送信装置から送信される第１データユニットを取得する。第１データユニットは、その内部（例えば、ペイロード部）に第２データユニットを含んでいる。また、第１データユニットは、第２データユニットが位置するデータ部分とは異なるデータ部分（例えば、オーバーヘッド部）に、第２データユニットの障害状態を示す障害データを含んでいる。抽出手段は、第１データユニットから障害データを抽出する。【００１０】
上記課題は、生成工程と付加工程とを備える送信方法によって解決される。生成工程では、上述した生成手段が行う動作と同様の動作が行われる。付加工程では、上述した付加手段が行う動作と同様の動作が行われる。【００１１】
上記課題は、受信工程と抽出工程とを備える受信方法によって解決される。取得工程では、上述した取得手段が行う動作と同様の動作が行われる。抽出工程では、上述した抽出手段が行う動作と同様の動作が行われる。
【発明の効果】
【００１２】
以上説明した送信装置によれば、第１データユニットのうち第２データユニットが位置するデータ部分とは異なるデータ部分（例えば、オーバーヘッド部）に障害データを付加することができる。従って、障害データが付加された第１データユニットを受信した受信装置は、第１データユニットに含まれる第２データユニットの取得の有無に関わらず、障害データを取得することができる。言い換えれば、受信装置は、第１データユニットの同期を取れば、第２データユニットの同期を取ることなく、障害データを取得することができる。このため、障害データが付加された第１データユニットを受信した受信装置は、第１データユニットに含まれる第２データユニットの取得の有無に関わらず、第２データユニットの障害状態を認識することができる。従って、受信装置は、障害データの取得に伴って従来必要とされた第２データユニットに対する各種処理を行うための回路を備えていなくともよくなる。従って、以上説明した送信装置によれば、受信装置の回路規模ないしは処理負荷を相対的に低減させながらも、第１データユニットに含まれる第２データユニット（例えば、第１データユニットに多重化された又はマッピングされた第２データユニット）の障害状態を受信装置に対して好適に認識させることができる。【００１３】
以上説明した受信装置によれば、第１データユニットから障害データを抽出することができる。つまり、受信装置は、第１データユニットに含まれる第２データユニットの取得の有無に関わらず、障害データを取得することができる。従って、上述したように、受信装置は、その回路規模ないしは処理負荷を相対的に低減しつつも、第１データユニットに含まれる第２データユニット（例えば、第１データユニットに多重化された又はマッピングされた第２データユニット）の障害状態を好適に認識することができる。【００１４】
以上説明した送信方法によれば、上述した送信装置が享受する効果と同様の効果を享受することができる。以上説明した受信方法によれば、上述した受信装置が享受する効果と同様の効果を享受することができる。
【図面の簡単な説明】
【００１５】
【図１】第１実施形態の送信装置の構成の一例を示すブロック図である
【図２】ＯＤＵのデータ構造を示すデータ構造図である。
【図３】ＯＤＵに含まれるＰＳＩのデータ構造を示すデータ構造図である。
【図４】障害数データが付加されたＯＤＵの具体例を示すデータ構造図である。
【図５】第１実施形態の受信装置の構成の一例を示すブロック図である。
【図６】第２実施形態の送信装置の構成の一例を示すブロック図である。
【図７】第２実施形態の受信装置の構成の一例を示すブロック図である。
【図８】第３実施形態の送信装置の構成の一例を示すブロック図である。
【図９】第３実施形態の受信装置の構成の一例を示すブロック図である。
【図１０】第４実施形態の送信装置の構成の一例を示すブロック図である。
【図１１】第５実施形態の送信装置の構成の一例を示すブロック図である。
【図１２】障害数データが付加されたＯＤＵの具体例を示すデータ構造図である。
【図１３】第５実施形態の受信装置の構成の一例を示すブロック図である。
【図１４】第６実施形態の送信装置の構成の一例を示すブロック図である。
【図１５】障害数データが付加されたＯＤＵの具体例を示すデータ構造図である。
【図１６】第６実施形態の受信装置の構成の一例を示すブロック図である。
【図１７】第７実施形態の送信装置の構成の一例を示すブロック図である。
【発明を実施するための最良の形態】
【００１６】
以下、本発明を実施するための最良の形態を、図面に基づいて説明する。尚、以下の説明では、ＩＴＵ−Ｔ（International Telecommunication Union Telecommunication Standardization Sector）勧告のＯＴＮ（Optical Transport Network）に準拠している伝送装置（具体的には、送信装置及び受信装置）を例にあげて説明を進める。【００１７】
（１）第１実施形態
図１から図５を参照して、第１実施形態について説明する。【００１８】
（１−１）送信装置
図１を参照して、第１実施形態の送信装置１１０について説明する。ここに、図１は、第１実施形態の送信装置１１０の構成の一例を示すブロック図である。【００１９】
図１に示すように、第１実施形態の送信装置１１０は、ＯＤＵ（Optical channel Data Unit）フレーム同期部１１１と、「生成手段」の一具体例に相当するＯＤＵ多重部１１２と、アラーム検出部１１３と、アラームカウント部１１４と、「付加手段」の一具体例に相当するＯＰＵ＿ＯＨ（Optical channel Payload Unit Overhead）挿入部１１５とを備えている。【００２０】
ＯＤＵフレーム同期部１１１には、ｘ（但し、ｘは１以上の整数）チャンネルの低次のＯＤＵｎ（但し、ｎは０以上の整数）が入力される。尚、低次のＯＤＵｎは、「第２データユニット」の一具体例に相当する。ＯＤＵフレーム同期部１１１は、ｘチャンネルの低次のＯＤＵｎの同期を取った上で、ｘチャンネルの低次のＯＤＵｎをＯＤＵ多重部１１２及びアラーム検出部１１３に対して出力する。【００２１】
ＯＤＵ多重部１１２は、ｘチャンネルの低次のＯＤＵｎを多重化する。具体的には、ＯＤＵ多重部１１２は、ｘチャンネルの低次のＯＤＵｎを高次のＯＤＵｍ（但し、ｍはｍ＞ｎを満たす整数）のＯＰＵペイロード部１３３（図２参照）に多重化する。尚、高次のＯＤＵｍは、「第１データユニット」の一具体例に相当する。ＯＤＵ多重部１１２は、ｘチャンネルの低次のＯＤＵｎがＯＰＵペイロード部１３３に多重化された高次のＯＤＵｍを、ＯＰＵ＿ＯＨ挿入部１１５に対して出力する。【００２２】
一方で、アラーム検出部１１３は、ｘチャンネルの低次のＯＤＵｎの夫々における障害の発生の有無を検出する。アラーム検出部１１３は、障害が発生している（言い換えれば、正しく伝送できない又は正しく読み取ることができない）低次のＯＤＵｎが検出される都度、障害が検出されたことを示すアラームをアラームカウント部１１４に出力する。尚、アラーム検出部１１３は、ＯＤＵｎの単位での障害を検出してもよい。つまり、アラーム検出部１１３は、障害が発生しているＯＤＵｎを検出する都度、障害が検出されたことを示すアラームをアラームカウント部１１４に出力してもよい。【００２３】
アラームカウント部１１４は、アラーム検出部１１３から出力されるアラームの数をカウントする。アラームカウント部１１４は、ＯＤＵｎが多重化される周期（言い換えれば、高次のＯＤＵｍが生成される周期）に同期して、カウントしたアラームの数をＯＰＵ＿ＯＨ挿入部１１５に出力する。このとき、アラームカウント部１１４は、カウントしたアラームの数をそのままＯＰＵ＿ＯＨ挿入部１１５に出力してもよい。この場合、アラームカウント部１１４から出力されるアラームの数は、障害が発生しているＯＤＵｎの数と同一となる。或いは、アラームカウント部１１４は、カウントしたアラームの数に対してＯＤＵｎを構成するトリビュータリスロットの数を掛け合わせることで得られる数をＯＰＵ＿ＯＨ挿入部１１５に出力してもよい。この場合、アラームカウント部１１４から出力されるアラームの数は、障害が発生しているＯＤＵｎを構成するトリビュータリスロットの数と同一となる。尚、トリビュータリスロットは、「細分ユニット」の一具体例に相当する。【００２４】
ＯＰＵ＿ＯＨ挿入部１１５は、ＯＤＵ多重部１１２より出力される高次のＯＤＵｍのＯＰＵオーバーヘッド部１３２（図２参照）に対して、各種情報を挿入する。第１実施形態では、ＯＰＵ＿ＯＨ挿入部１１５は、高次のＯＤＵｍのＯＰＵオーバーヘッド部１３２の所定のデータ部分に、アラームカウント部１１４から出力されるアラームの数を示す障害数データ１３８（図２参照）を挿入する。つまり、ＯＰＵ＿ＯＨ挿入部１１５は、高次のＯＤＵｍのＯＰＵオーバーヘッド部１３２の所定のデータ部分に、高次のＯＤＵｍに多重化されたｘチャンネルの低次のＯＤＵｎのうちの障害が発生しているＯＤＵｎの数（或いは、障害が発生しているＯＤＵｎを構成するトリビュータリスロットの数）を示す障害数データ１３８を挿入する。【００２５】
その後、必要に応じて高次のＯＤＵｍのＯＴＵ（Optical channel Transport Unit）／ＯＤＵオーバーヘッド部１３１（図２参照）に対して各種情報が挿入される。その後、ＯＤＵｍは、例えば送信装置１１０に対向する受信装置１２０（図５参照）に対して送信される。【００２６】
続いて、図２及び図３を参照して、ＯＤＵ（つまり、ＯＤＵｎないしはＯＤＵｍ）のデータ構造を参照しながら障害数データ１３８の挿入の態様について説明する。ここに、図２は、ＯＤＵのデータ構造を示すデータ構造図であり、図３は、ＯＤＵに含まれるＰＳＩ１３４のデータ構造を示すデータ構造図である。【００２７】
図２に示すように、ＯＤＵは、ＯＴＵ／ＯＤＵオーバーヘッド部１３１と、ＯＰＵオーバーヘッド部１３２と、ＯＰＵペイロード部１３３とを含んでいる。尚、図１に示すＯＤＵは、８ビット×２５６ビットの大きさのデータ群が３８２４列×４行集合することによって構成されている。【００２８】
ＯＴＵ／ＯＤＵオーバーヘッド部１３１は、ＯＤＵのうちの第１列から第１４列（但し、１列の列方向のサイズは８ビット）且つ第１行から第４行（但し、１行の行方向のサイズは２５６ビット）に相当するデータ部分を占めている。ＯＴＵ／ＯＤＵオーバーヘッド部１３１には、ＯＤＵを制御及び管理するための各種情報が含まれている。一例として、ＯＴＵ／ＯＤＵオーバーヘッド部１３１には、ＰＭ（Path Monitoring：パスモニタリング）や、ＴＣＭ（Tandem Connection Monitoring：タンデムコネクションモニタリング）や、ＦＴＦＬ（Fault Type & Fault Location reporting channel：フォールトタイプ＆フォールト位置報告チャネル）や、ＥＸＰ（Experimental：エクスペリメンタル）や、ＧＣＣ（General Communication Channel：ジェネラルコミュニケーションチャネル）や、ＡＰＳ（Automatic Protection Switching coordination channel：自動保護切替コーディネーションチャネル）や、ＰＣＣ（Protection Communication Control channel：保護コミュニケーション制御チャネル）や、ＲＥＳ（Reserved：リザーブド）エリアが含まれている。【００２９】
ＯＰＵオーバーヘッド部１３２は、ＯＤＵのうちの第１５列及び第１６列且つ第１行から第４行に相当するデータ部分を占めている。ＯＰＵオーバーヘッド部１３２は、ＯＰＵペイロード部１３３を制御及び管理するための各種情報が含まれている。具体的には、ＯＰＵオーバーヘッド部１３２には、第１５列第４行のデータ部分を占めるＰＳＩ（Payload Structure Identifier：ペイロード構造識別子）１３４と、その他のデータ部分を占めるマッピング・連結部（Mapping & Concat. specific）１３５とが含まれている。【００３０】
ＰＳＩ１３４には更に、第０バイトを占めるＰＴ（Payload Type）１３６と、その他のデータ部分（つまり、第１バイトから第２５５バイト）を占めるＲＥＳエリア１３７とが含まれている。第１実施形態では、上述した障害数データ１３８は、ＰＳＩ１３４が含むＲＥＳエリア１３７のうちの所定のデータ部分又は任意のデータ部分に含められる。【００３１】
尚、ＰＳＩ１３４のデータ構造は、当該ＰＳＩ１３４が含まれるＯＤＵの種類によって変化する。具体的には、ＰＳＩ１３４がＬＯ  ＯＰＵのＣＢＲマッピングのためのＰＳＩである場合には、ＰＳＩ１３４には、図３（ａ）に示すように、第０バイトを占めるＰＴ１３６と、第２バイトの第１ビットを占めるＯＰＵ−ＣＳＦと、その他のデータ部分（第１バイトから第２５５バイト：但し、第２バイトの第１ビットを除く）を占めるＲＥＳエリア１３７とが含まれている。同様に、ＰＳＩ１３４がＬＯ  ＯＰＵの仮想連結（Virtual Concatenation）のためのＰＳＩである場合には、ＰＳＩ１３４には、図３（ｂ）に示すように、第０バイトを占めるＰＴ１３６と、第１バイトを占めるｖｃＰＴ（Virtual Concatenated Payload Type）と、第２バイトの第１ビットを占めるＯＰＵ−ＣＳＦと、その他のデータ部分（第２バイトから第２５５バイト：但し、第２バイトの第１ビットを除く）を占めるＲＥＳエリア１３７とが含まれている。同様に、ＰＳＩ１３４がＰＴ＝２０となるＨＯ  ＯＰＵ１のためのＰＳＩである場合には、ＰＳＩ１３４には、図３（ｃ）に示すように、第０バイトを占めるＰＴ１３６と、第２バイトから第３バイトを占めるＭＳＩ（Multiplex Structure Identifier）と、その他のデータ部分（第１バイト及び第４バイトから第２５５バイト）を占めるＲＥＳエリア１３７とが含まれている。同様に、ＰＳＩ１３４がＰＴ＝２０となるＨＯ  ＯＰＵ２のためのＰＳＩである場合には、ＰＳＩ１３４には、図３（ｄ）に示すように、第０バイトを占めるＰＴ１３６と、第２バイトから第５バイトを占めるＭＳＩと、その他のデータ部分（第１バイト及び第６バイトから第２５５バイト）を占めるＲＥＳエリア１３７とが含まれている。同様に、ＰＳＩ１３４がＰＴ＝２１となるＨＯ  ＯＰＵ２のためのＰＳＩである場合には、ＰＳＩ１３４には、図３（ｅ）に示すように、第０バイトを占めるＰＴ１３６と、第２バイトから第９バイトを占めるＭＳＩと、その他のデータ部分（第１バイト及び第１０バイトから第２５５バイト）を占めるＲＥＳエリア１３７とが含まれている。同様に、ＰＳＩ１３４がＰＴ＝２０となるＨＯ  ＯＰＵ３のためのＰＳＩである場合には、ＰＳＩ１３４には、図３（ｆ）に示すように、第０バイトを占めるＰＴ１３６と、第２バイトから第１７バイトを占めるＭＳＩと、その他のデータ部分（第１バイト及び第１８バイトから第２５５バイト）を占めるＲＥＳエリア１３７とが含まれている。同様に、ＰＳＩ１３４がＰＴ＝２１となるＨＯ  ＯＰＵ３のためのＰＳＩである場合には、ＰＳＩ１３４には、図３（ｇ）に示すように、第０バイトを占めるＰＴ１３６と、第２バイトから第３３バイトを占めるＭＳＩと、その他のデータ部分（第１バイト及び第３４バイトから第２５５バイト）を占めるＲＥＳエリア１３７とが含まれている。同様に、ＰＳＩ１３４がＰＴ＝２１となるＨＯ  ＯＰＵ４のためのＰＳＩである場合には、ＰＳＩ１３４には、第０バイトを占めるＰＴ１３６と、第２バイトから第８１バイトを占めるＭＳＩと、図３（ｈ）に示すように、その他のデータ部分（第１バイト及び第８２バイトから第２５５バイト）を占めるＲＥＳエリア１３７とが含まれている。【００３２】
以上説明した図３（ａ）から図３（ｈ）に示すいずれの例においても、障害数データ１３８は、ＰＳＩ１３４中のＲＥＳエリア１３７の所定のデータ部分又は任意のデータ部分に挿入されることが好ましい。【００３３】
続いて、図４を参照して、障害数データ１３８の具体例について説明する。ここに、図４は、障害数データ１３８が付加されたＯＤＵの具体例を示すデータ構造図である。【００３４】
図４（ａ）に示すように、ｘ＝８チャンネルのＯＤＵ０（つまり、低次のＯＤＵｎ）がＯＤＵ２（つまり、高次のＯＤＵｍ）に多重化される例について説明する。この場合、ＯＤＵ多重部１１２は、ＯＤＵフレーム同期部１１１より出力される８チャンネルのＯＤＵ０を、ＯＤＵ２のＯＰＵペイロード部１３３に多重化する。ここで、多重化される８チャンネルのＯＤＵ０のうち３チャンネルのＯＤＵ０に障害が発生しているとする。この場合、アラーム検出部１１３は、障害が発生している３チャンネルのＯＤＵ０の夫々を検出する都度、アラームカウント部１１４に対してアラームを出力する。従って、アラームカウント部１１４においてカウントされるアラームの数は「３」となる。このため、図４（ａ）に示す例では、ＯＤＵ２のＯＰＵオーバーヘッド部１３２が含むＰＳＩ１３４中のＲＥＳエリア１３７に挿入される障害数データ１３８は、「３（ＯＤＵ）」という情報を含んでいる。【００３５】
一方で、障害数データ１３８が、ＯＤＵｎを構成するトリビュータリスロットの単位での障害数を示してもよいことは前述したとおりである。このようなトリビュータリスロットの単位での障害数を示す障害数データ１３８の例について、図４（ｂ）を参照して説明する。図４（ｂ）に示すように、４チャンネルのＯＤＵ２（つまり、低次のＯＤＵ）がＯＤＵ３（つまり、高次のＯＤＵ）に多重化される例について説明する。この場合、ＯＤＵ多重部１１２は、ＯＤＵフレーム同期部１１１より出力される４チャンネルのＯＤＵ２を、ＯＤＵ３のＯＰＵペイロード部１３３に多重化する。ここで、多重化される４チャンネルのＯＤＵ２のうちの２チャンネルのＯＤＵ２に障害が発生しているとする。この場合、アラーム検出部１１３は、障害が発生しているＯＤＵ２を検出する都度、アラームカウント部１１４に対してアラームを出力する。従って、アラームカウント部１１４においてカウントされるアラームの数は「２」となる。ここで、ＩＴＵ−Ｔ勧告のＯＴＮによれば、ＯＤＵ２を構成するトリビュータリスロットの数は「８」である。このため、図４（ｂ）に示す例では、ＯＤＵ２のＯＰＵオーバーヘッド部１３２が含むＰＳＩ１３４中のＲＥＳエリア１３７に挿入される障害数データ１３８は、「２×８＝１６（ＴＳ）」という情報を含んでいる。【００３６】
（１−２）受信装置
続いて、図５を参照して、第１実施形態の受信装置１２０について説明する。ここに、図５は、第１実施形態の受信装置１２０の構成の一例を示すブロック図である。【００３７】
図５に示すように、第１実施形態の受信装置１２０は、「取得手段」の一具体例に相当するＯＤＵフレーム同期部１２１と、ＯＤＵ分離部１２２と、「抽出手段」の一具体例に相当するＯＰＵ＿ＯＨ抽出部１２３と、「抽出手段」の一具体例に相当する障害数検出部１２４とを備えている。【００３８】
ＯＤＵフレーム同期部１２１には、例えば受信装置１２０に対向する送信装置１１０から送信される高次のＯＤＵｍが入力される。ＯＤＵフレーム同期部１２１は、高次のＯＤＵｍの同期を取った上で、高次のＯＤＵｍをＯＤＵ分離部１２２及びＯＰＵ＿ＯＨ抽出部１２３に対して出力する。【００３９】
ＯＤＵ分離部１２２は、高次のＯＤＵｍから、ｘチャンネルの低次のＯＤＵｎを分離する。言い換えれば、ＯＤＵ分離部１２２は、高次のＯＤＵｍのＯＰＵペイロード部１３３に多重化されているｘチャンネルの低次のＯＤＵｎを、個々のＯＤＵｎに分離する。ＯＤＵ分離部１２２は、必要に応じて、分離したｘチャンネルの低次のＯＤＵｎを、当該ＯＤＵｎに対する各種処理を行う処理部へと出力してもよい。【００４０】
一方で、ＯＰＵ＿ＯＨ抽出部１２３は、高次のＯＤＵｍのＯＰＵオーバーヘッド部１３２を抽出する。その後、ＯＰＵ＿ＯＨ抽出部１２３は、抽出したＯＰＵオーバーヘッド部１３２を、障害数検出部１２４へと出力する。【００４１】
障害数検出部１２４は、ＯＰＵ＿ＯＨ抽出部１２３によって抽出されたＯＰＵオーバーヘッド部１３２から、障害数データ１３８を抽出する。これにより、障害数検出部１２４は、ＯＤＵフレーム同期部１２１に入力された高次のＯＤＵｍに多重化されたｘチャンネルの低次のＯＤＵｎを対象として、障害が発生しているＯＤＵｎないしはトリビュータリスロットの数を認識することができる。その結果、障害数検出部１２４は、認識した障害状態に基づいて、伝送路の選択動作ないしは切替動作を制御するアラーム通知切替トリガを出力する。例えば、障害数検出部１２４は、認識した障害状態に基づいて、適切なないしは高品質な伝送路が使用されるような選択動作ないしは切替動作を行わせしめるアラーム通知切替トリガを出力する。【００４２】
以上説明したように、第１実施形態によれば、送信装置１１０は、高次のＯＤＵｍのうち低次のＯＤＵｎが多重化されるＯＰＵペイロード部１３３とは異なるＯＰＵオーバーヘッド部１３２に障害数データ１３８を挿入することができる。従って、高次のＯＤＵｍを受信する受信装置１２０は、高次のＯＤＵｍに含まれる低次のＯＤＵｎの同期を取ることなく、高次のＯＤＵｍから障害数データ１３８を取得することができる。言い換えれば、受信装置１２０は、高次のＯＤＵｍの同期を取れば、多重化された低次のＯＤＵｎの同期を取ることなく、障害数データ１３８を取得することができる。このため、受信装置１２０は、高次のＯＤＵｍに含まれる低次のＯＤＵｎの同期を取ることなく、多重化された低次のＯＤＵｎの障害状態を認識することができる。従って、受信装置１２０は、多重化された低次のＯＤＵｎの障害状態を認識するために従来必要とされた複数チャンネルの低次のＯＤＵｎの夫々の同期を取るための複数の同期回路を備えていなくともよい。従って、第１実施形態の送信装置１１０によれば、受信装置１２０の回路規模ないしは処理負荷を相対的に低減させながらも、高次のＯＤＵｍに含まれる低次のＯＤＵｎの障害状態を受信装置１２０に対して好適に認識させることができる。【００４３】
また、第１実施形態の受信装置１２０によれば、高次のＯＤＵｍから障害数データ１３８を抽出することができる。つまり、受信装置１２０は、高次のＯＤＵｍの同期を取れば、多重化された低次のＯＤＵｎの同期を取ることなく、障害数データ１３８を取得することができる。従って、上述したように、受信装置１２０は、その回路規模ないしは処理負荷を相対的に低減しつつも、高次のＯＤＵｍに含まれる低次のＯＤＵｎの障害状態を好適に認識することができる。【００４４】
加えて、第１実施形態によれば、送信装置１１０は、低次のＯＤＵｎの単位での障害数を示す障害数データ１３８を高次のＯＤＵｍに挿入することができる。このため、受信装置１２０は、低次のＯＤＵｎの障害状態を好適に認識することができる。【００４５】
或いは、第１実施形態によれば、送信装置１１０は、低次のＯＤＵｎを更に細分化したトリビュータリスロットの単位での障害数を示す障害数データ１３８を高次のＯＤＵｍに挿入することができる。このため、受信装置１２０は、低次のＯＤＵｎの障害状態をより一層好適に認識することができる。例えば、障害が発生している２チャンネルのＯＤＵ１を含む４チャンネルのＯＤＵ１をＯＤＵ２に多重化する第１例と、障害が発生している２チャンネルのＯＤＵ２を含む４チャンネルのＯＤＵ２をＯＤＵ３に多重化する第２例を用いて説明する。障害数データ１３８が低次のＯＤＵｎの単位での障害数を示す場合には、第１例及び第２例の双方共に、障害数データ１３８は「２」を示す。一方で、障害数データ１３８が低次のＯＤＵｎを構成するトリビュータリスロットの単位での障害数を示す場合には、第１例では障害数データ１３８は「２×２＝４」を示す一方で、第２例では障害数データ１３８は「２×８＝１６」を示す。従って、受信装置１２０は、第１例と比較して、第２例の方がより障害の程度が大きいと認識することができる。【００４６】
尚、上述の説明では、送信装置１１０及び受信装置１２０が夫々別個独立の装置として構成される場合の例について説明している。しかしながら、１つの伝送装置が送信装置１１０及び受信装置１２０の双方を備えるように構成してもよい。このように構成しても、伝送装置は、上述した各種効果を享受することができる。【００４７】
また、上述の説明では、障害数データ１３８が、ＯＰＵオーバーヘッド部１３２が含むＰＳＩ１３４中のＲＥＳエリア１３７に挿入される例について説明している。しかしながら、上述した障害数データ１３８が挿入されるデータ部分は一例であって、ＰＳＩ１３４中のＲＥＳエリア１３７以外のデータ部分に挿入されてもよい。但し、高次のＯＤＵｍに含まれる低次のＯＤＵｎの同期を取ることなく高次のＯＤＵｍから障害数データ１３８を取得するという観点からは、障害数データ１３８は、高次のＯＤＵｍのＯＰＵペイロード部１３３以外のデータ部分に挿入されることが好ましい。或いは、同様の観点からは、障害数データ１３８は、高次のＯＤＵｍのＯＰＵペイロード部１３３のうち低次のＯＤＵｎが多重化されているデータ部分以外のデータ部分に挿入されてもよい。【００４８】
また、上述の説明では、低次のＯＤＵｎの障害状態を示す障害数データ１３８として、障害が発生しているＯＤＵｎ又は障害が発生しているＯＤＵｎを構成するトリビュータリスロットの数を用いる例について説明している。しかしながら、低次のＯＤＵｎの障害状態を示す任意の情報（例えば、障害の程度を示す情報や、障害の発生箇所を示す情報や、障害の訂正可能性を示す情報等）を障害数データ１３８として利用してもよい。【００４９】
（２）第２実施形態
続いて、図６及び図７を参照して、第２実施形態の送信装置２１０及び受信装置２２０について説明する。ここに、図６は、第２実施形態の送信装置２１０の構成の一例を示すブロック図であり、図７は、第２実施形態の受信装置２２０の構成の一例を示すブロック図である。尚、上述した第１実施形態の送信装置１１０及び受信装置１２０が備える各種構成と同一の構成については、同一の参照符号を付してその詳細な説明については省略する。【００５０】
図６に示すように、第２実施形態の送信装置２１０は、「生成手段」の一具体例に相当するＯＤＵマッピング部２１１と、アラーム検出部１１３と、アラームカウント部１１４と、ＯＰＵ＿ＯＨ挿入部１１５とを備えている。【００５１】
ＯＤＵマッピング部２１１には、ＯＴＮに準拠したデータユニット（つまり、ＯＤＵ）以外のデータユニット（以降“非ＯＴＮデータユニット”と称する）が入力される。非
ＯＴＮデータユニットとして、例えば、１０ＧｂＥ（Giga bit Ethernet）やＧｂＥにおけるイーサネット（登録商標）フレームやＳＤＨ（Synchronous Digital Hierarchy）におけるＳＴＭ（Synchronous Transport Module）フレームやＳＯＮＥＴ（Synchronous Optical Network）におけるＳＴＳ（Synchronous Transport Signal）フレームないしはＯＣ（Optical Carrier）信号等が一例としてあげられる。尚、非ＯＴＮデータユニットは、「第２データユニット」の一具体例に相当する。ＯＤＵマッピング部２１１は、非ＯＴＮデータユニットを、ＯＴＮ準拠のデータユニットであるＯＤＵｍのＯＰＵペイロード部１３３にマッピングする。ＯＤＵマッピング部２１１は、非ＯＴＮデータユニットがマッピングされたＯＤＵｍを、ＯＰＵ＿ＯＨ挿入部１１５に対して出力する。【００５２】
一方で、アラーム検出部１１３は、非ＯＴＮデータユニットにおける障害の発生の有無を検出する。第２実施形態では、アラーム検出部１１３は、非ＯＴＮデータユニットに障害が発生している場合には、障害が検出されたことを示すアラームをアラームカウント部１１４に出力する。一方で、アラーム検出部１１３は、非ＯＴＮデータユニットに障害が発生していない場合には、障害が検出されたことを示すアラームをアラームカウント部１１４に出力しない。【００５３】
アラームカウント部１１４は、アラーム検出部１１３から出力されるアラームの数をカウントする。アラームカウント部１１４は、非ＯＴＮデータユニットがマッピングされる周期（言い換えれば、ＯＤＵｍが生成される周期）に同期して、カウントしたアラームの数をＯＰＵ＿ＯＨ挿入部１１５に出力する。【００５４】
ＯＰＵ＿ＯＨ挿入部１１５は、ＯＤＵｍのＯＰＵオーバーヘッド部１３２の所定のデータ部分（例えば、上述したＰＳＩ１３４中のＲＥＳエリア１３７）に、アラームカウント部１１４から出力されるアラームの数を示す障害数データ１３８を挿入する。つまり、ＯＰＵ＿ＯＨ挿入部１１５は、ＯＤＵｍのＯＰＵオーバーヘッド部１３２の所定のデータ部分に、ＯＤＵｍにマッピングされた非ＯＴＮデータユニットに障害が発生しているか否かを示す障害数データ１３８を挿入する。尚、第２実施形態においては、非ＯＴＮデータユニットに障害が発生している場合には、障害数データ１３８は「１」を示す。一方で、非ＯＴＮデータユニットに障害が発生していない場合には、障害数データ１３８は「０」を示す。【００５５】
図７に示すように、第２実施形態の受信装置２２０は、「取得手段」の一具体例に相当するＯＤＵフレーム同期部１２１と、ＯＤＵデマッピング部２２１と、「抽出手段」の一具体例に相当するＯＰＵ＿ＯＨ抽出部１２３と、「抽出手段」の一具体例に相当する障害数検出部１２４とを備えている。【００５６】
ＯＤＵフレーム同期部１２１には、例えば受信装置２２０に対向する送信装置２１０から送信されるＯＤＵｍが入力される。ＯＤＵフレーム同期部１２１は、ＯＤＵｍの同期を取った上で、ＯＤＵｍをＯＤＵデマッピング部２２１及びＯＰＵ＿ＯＨ抽出部１２３に対して出力する。【００５７】
ＯＤＵデマッピング部２２１は、ＯＤＵｍから、非ＯＴＮデータユニットを抽出する。ＯＤＵデマッピング部２２１は、必要に応じて、抽出した非ＯＴＮデータユニットを、当該非ＯＴＮデータユニットに対する各種処理を行う処理部へと出力してもよい。【００５８】
尚、ＯＰＵ＿ＯＨ抽出部１２３及び障害数検出部１２４は、第１実施形態と同様の動作を行う。つまり、ＯＰＵ＿ＯＨ抽出部１２３は、ＯＤＵｍのＯＰＵオーバーヘッド部１３２を抽出し、障害数検出部１２４は、ＯＰＵ＿ＯＨ抽出部１２３によって抽出されたＯＰＵオーバーヘッド部１３２から、障害数データ１３８を抽出する。【００５９】
以上説明したように、第２実施形態によれば、ＯＴＮに準拠したデータユニット以外の非ＯＴＮデータユニットをＯＴＮに準拠したデータユニットであるＯＤＵｍにマッピングする場合であっても、上述した第１実施形態の送信装置１１０又は受信装置１２０が享受する各種効果と同様の効果を享受することができる。つまり、受信装置２２０は、ＯＤＵｍに含まれる非ＯＴＮデータユニットの同期を取ることなく、ＯＤＵｍから障害数データ１３８を取得することができる。従って、受信装置２２０は、マッピングされた非ＯＴＮデータユニットの障害状態を認識するために従来必要とされた非ＯＴＮデータユニットの同期を取るための同期回路を備えていなくともよい。従って、第２実施形態によれば、第１実施形態と同様に、受信装置２２０の回路規模ないしは処理負荷を相対的に低減させながらも、ＯＤＵｍにマッピングされた非ＯＴＮデータユニットの障害状態を受信装置２２０に対して好適に認識させることができる。【００６０】
（３）第３実施形態
続いて、図８及び図９を参照して、第３実施形態の送信装置３１０及び受信装置３２０について説明する。ここに、図８は、第３実施形態の送信装置３１０の構成の一例を示すブロック図であり、図９は、第３実施形態の受信装置３２０の構成の一例を示すブロック図である。尚、上述した第１実施形態の送信装置１１０及び受信装置１２０並びに第２実施形態の送信装置２１０及び受信装置２２０が備える各種構成と同一の構成については、同一の参照符号を付してその詳細な説明については省略する。【００６１】
図８に示すように、第３実施形態の送信装置３１０は、１チャンネルの非ＯＴＮデータユニットをＯＤＵｍにマッピングする第２実施形態の送信装置２１０と比較して、ｘチャンネルの非ＯＴＮデータユニットをＯＤＵｍにマッピングするという点で異なっている。具体的には、第３実施形態の送信装置３１０は、「生成手段」の一具体例に相当するｘ個のＯＤＵマッピング部２１１と、ｘ個のＯＰＵ＿ＯＨ挿入部１１５＿１と、「生成手段」の一具体例に相当するＯＤＵ多重部１１２と、アラーム検出部１１３と、アラームカウント部１１４と、「付加手段」の一具体例に相当するＯＰＵ＿ＯＨ挿入部１１５＿２とを備えている。【００６２】
ｘ個のＯＤＵマッピング部２１１の夫々には、ｘチャンネルの非ＯＴＮデータユニットのうちの対応する一チャンネルの非ＯＴＮデータユニットが入力される。ｘ個のＯＤＵマッピング部２１１の夫々は、対応する一チャンネルの非ＯＴＮデータユニットを、ＯＴＮ準拠のデータユニットであるＯＤＵｎのＯＰＵペイロード部１３３にマッピングする。ｘ個のＯＤＵマッピング部２１１の夫々は、対応する一チャンネルの非ＯＴＮデータユニットがマッピングされたＯＤＵｎを、ｘ個のＯＰＵ＿ＯＨ挿入部１１５＿１のうちの対応する一つのＯＰＵ＿ＯＨ挿入部１１５＿１に対して出力する。【００６３】
ｘ個のＯＰＵ＿ＯＨ挿入部１１５＿１の夫々は、対応する一つのＯＤＵマッピング部２１１より出力されるＯＤＵｎのＯＰＵオーバーヘッド部１３２に対して、各種情報を挿入する。その後、ｘ個のＯＰＵ＿ＯＨ挿入部１１５＿１の夫々は、ＯＰＵオーバーヘッド部１３２に各種情報が挿入されたＯＤＵｎを、ＯＤＵ多重部１１２に対して出力する。従って、ＯＤＵ多重部１１２には、ｘチャンネルのＯＤＵｎが入力される。【００６４】
ＯＤＵ多重部１１２は、ｘチャンネルの低次のＯＤＵｎを多重化する。具体的には、ＯＤＵ多重部１１２は、ｘチャンネルの低次のＯＤＵｎを高次のＯＤＵｍのＯＰＵペイロード部１３３に多重化する。ＯＤＵ多重部１１２は、ｘチャンネルの低次のＯＤＵｎがＯＰＵペイロード部１３３に多重化された高次のＯＤＵｍを、ＯＰＵ＿ＯＨ挿入部１１５に対して出力する。【００６５】
一方で、アラーム検出部１１３には、ｘチャンネルの非ＯＴＮデータユニットが入力される。アラーム検出部１１３は、非ＯＴＮデータユニットにおける障害の発生の有無を検出する。第３実施形態では、アラーム検出部１１３は、障害が発生している非ＯＴＮデータユニットが検出される都度、障害が検出されたことを示すアラームをアラームカウント部１１４に出力する。【００６６】
アラームカウント部１１４は、アラーム検出部１１３から出力されるアラームの数をカウントする。アラームカウント部１１４は、ｘチャンネルの非ＯＴＮデータユニットがマッピングされる周期（言い換えれば、ＯＤＵｍが生成される周期）に同期して、カウントしたアラームの数をＯＰＵ＿ＯＨ挿入部１１５＿２に出力する。【００６７】
ＯＰＵ＿ＯＨ挿入部１１５＿２は、ＯＤＵｍのＯＰＵオーバーヘッド部１３２の所定のデータ部分（例えば、上述したＰＳＩ１３４中のＲＥＳエリア１３７）に、アラームカウント部１１４から出力されるアラームの数を示す障害数データ１３８を挿入する。つまり、ＯＰＵ＿ＯＨ挿入部１１５＿２は、ＯＤＵｍのＯＰＵオーバーヘッド部１３２の所定のデータ部分に、ＯＤＵｍにマッピングされたｘチャンネルの非ＯＴＮデータユニットのうちの障害が発生している非ＯＴＮデータユニットの数を示す障害数データ１３８を挿入する。【００６８】
図９に示すように、第３実施形態の受信装置３２０は、ＯＤＵｍにマッピングされた１チャンネルの非ＯＴＮデータユニットを取得する第２実施形態の受信装置２２０と比較して、ＯＤＵｍにマッピングされたｘチャンネルの非ＯＴＮデータユニットを取得するという点で異なっている。具体的には、第３実施形態の受信装置３２０は、「取得手段」の一具体例に相当するＯＤＵフレーム同期部１２１と、ＯＤＵ分離部１２２と、ｘ個のＯＰＵ＿ＯＨ抽出部１２３＿２と、ＯＤＵデマッピング部２２１と、「取得手段」の一具体例に相当するＯＰＵ＿ＯＨ抽出部１２３＿１と、「取得手段」の一具体例に相当する障害数検出部１２４とを備えている。【００６９】
ＯＤＵフレーム同期部１２１には、例えば受信装置３２０に対向する送信装置３１０から送信されるＯＤＵｍが入力される。ＯＤＵフレーム同期部１２１は、ＯＤＵｍの同期を取った上で、ＯＤＵｍをＯＤＵ分離部１２２及びＯＰＵ＿ＯＨ抽出部１２３＿１に対して出力する。【００７０】
ＯＤＵ分離部１２２は、高次のＯＤＵｍから、ｘチャンネルの低次のＯＤＵｎを分離する。その後、ＯＤＵ分離部１２２は、ｘチャンネルの低次のＯＤＵｎの夫々を、ｘ個のＯＰＵ＿ＯＨ抽出部１２３＿２のうちの対応する一つのＯＰＵ＿ＯＨ抽出部１２３に対して出力する。【００７１】
ｘ個のＯＰＵ＿ＯＨ抽出部１２３＿２の夫々は、ｘチャンネルの低次のＯＤＵｎのうち対応する一チャンネルのＯＤＵｎからＯＰＵオーバーヘッド部１３２を抽出する。その後、ｘ個のＯＰＵ＿ＯＨ抽出部１２３＿２の夫々は、ｘチャンネルの低次のＯＤＵｎのうち対応する一チャンネルのＯＤＵｎをＯＤＵデマッピング部２２１に対して出力する。【００７２】
ＯＤＵデマッピング部２２１は、ｘチャンネルのＯＤＵｎの夫々から、非ＯＴＮデータユニットを抽出する。つまり、ＯＤＵデマッピング部２２１は、ｘチャンネルのＯＤＵｎから、ｘチャンネルの非ＯＴＮデータユニットを抽出する。ＯＤＵデマッピング部２２１は、必要に応じて、抽出した非ＯＴＮデータユニットを、当該非ＯＴＮデータユニットに対する各種処理を行う処理部へと出力してもよい。【００７３】
尚、ＯＰＵ＿ＯＨ抽出部１２３＿１及び障害数検出部１２４は、第１実施形態と同様の動作を行う。つまり、ＯＰＵ＿ＯＨ抽出部１２３＿１は、ＯＤＵｍのＯＰＵオーバーヘッド部１３２を抽出し、障害数検出部１２４は、ＯＰＵ＿ＯＨ抽出部１２３＿１によって抽出されたＯＰＵオーバーヘッド部１３２から、障害数データ１３８を抽出する。【００７４】
以上説明したように、第３実施形態によれば、複数チャンネルの非ＯＴＮデータユニットをＯＤＵｍにマッピングする場合であっても、上述した第１実施形態の送信装置１１０又は受信装置１２０が享受する各種効果と同様の効果を享受することができる。つまり、受信装置３２０は、ＯＤＵｍに含まれる複数チャンネルの非ＯＴＮデータユニットの夫々の同期を取ることなく、ＯＤＵｍから障害数データ１３８を取得することができる。このため、受信装置３２０は、ＯＤＵｍに含まれる複数の非ＯＴＮデータユニットの同期を取ることなく、マッピングされた複数チャンネルの非ＯＴＮデータユニットの障害状態を認識することができる。従って、受信装置３２０は、マッピングされた複数チャンネルの非ＯＴＮデータユニットの障害状態を認識するために従来必要とされた複数チャンネルの非ＯＴＮデータユニットの同期を取るための複数の同期回路を備えていなくともよい。従って、第３実施形態によれば、第１実施形態と同様に、受信装置３２０の回路規模ないしは処理負荷を相対的に低減させながらも、ＯＤＵｍにマッピングされた複数チャンネルの非ＯＴＮデータユニットの障害状態を受信装置３２０に対して好適に認識させることができる。【００７５】
（４）第４実施形態
続いて、図１０を参照して、第４実施形態の送信装置４１０について説明する。ここに、図１０は、第４実施形態の送信装置４１０の構成の一例を示すブロック図である。尚、上述した第１実施形態の送信装置１１０及び受信装置１２０から第３実施形態の送信装置３１０及び受信装置３２０が備える各種構成と同一の構成については、同一の参照符号を付してその詳細な説明については省略する。【００７６】
図１０に示すように、第４実施形態の送信装置４１０は、非ＯＴＮデータユニットを低次のＯＤＵｎにマッピングする前に検出されたアラームに基づいて高次のＯＤＵｍに障害数データ１３８を挿入する第３実施形態の送信装置３１０と比較して、非ＯＴＮデータユニットを低次のＯＤＵｎへマッピングした後に当該低次のＯＤＵｎから抽出されるＯＰＵオーバーヘッド部１３２に基づいて高次のＯＤＵｍに障害数データ１３８を挿入するという点で異なっている。具体的には、第４実施形態の送信装置４１０は、「生成手段」の一具体例に相当するｘ個のＯＤＵマッピング部２１１と、ｘ個のＯＰＵ＿ＯＨ挿入部１１５＿１と、「生成手段」の一具体例に相当するＯＤＵ多重部１１２と、アラーム検出部１１３と、ＯＰＵ＿ＯＨ抽出部１２３と、アラームカウント部１１４と、「付加手段」の一具体例に相当するＯＰＵ＿ＯＨ挿入部１１５＿２とを備えている。【００７７】
ｘ個のＯＤＵマッピング部２１１の夫々は、対応する一チャンネルの非ＯＴＮデータユニットを、ＯＴＮ準拠のデータユニットであるＯＤＵｎのＯＰＵペイロード部１３３にマッピングすると共に、対応する一つのＯＰＵ＿ＯＨ挿入部１１５＿１に対して出力する。【００７８】
一方で、アラーム検出部１１３は、非ＯＴＮデータユニットにおける障害の発生の有無を検出する。第４実施形態では、アラーム検出部１１３は、障害が発生している非ＯＴＮデータユニットが検出される都度、障害が検出されたことを示すアラームを、ｘ個のＯＰＵ＿ＯＨ挿入部１１５＿１のうちの対応する一つのＯＰＵ＿ＯＨ挿入部１１５＿１に対して出力する。【００７９】
ｘ個のＯＰＵ＿ＯＨ挿入部１１５＿１の夫々は、アラーム検出部１１３から出力されるアラームに基づいて、対応する一チャンネルの非ＯＴＮデータユニットに障害が発生しているか否かを示す障害数データ１３８を対応する一チャンネルのＯＤＵｎのＯＰＵオーバーヘッド部１３２に挿入する。その後、ｘ個のＯＰＵ＿ＯＨ挿入部１１５＿１の夫々は、ＯＰＵオーバーヘッド部１３２に各種情報が挿入されたＯＤＵｎを、ＯＤＵ多重部１１２及びＯＰＵ＿ＯＨ抽出部１２３に対して出力する。【００８０】
ＯＤＵ多重部１１２は、ｘチャンネルの低次のＯＤＵｎを多重化する。ＯＤＵ多重部１１２は、ｘチャンネルの低次のＯＤＵｎがＯＰＵペイロード部１３３に多重化された高次のＯＤＵｍを、ＯＰＵ＿ＯＨ挿入部１１５＿２に対して出力する。【００８１】
一方で、ＯＰＵ＿ＯＨ抽出部１２３は、ｘチャンネルの低次のＯＤＵｎの夫々からＯＰＵオーバーヘッド部１３２を抽出する。その後、ＯＰＵ＿ＯＨ抽出部１２３は、抽出したｘ個のＯＰＵオーバーヘッド部１３２をアラームカウント部１１４に対して出力する。【００８２】
アラームカウント部１１４は、ＯＰＵ＿ＯＨ抽出部１２３から出力されるｘ個のＯＰＵオーバーヘッド部１３２に基づいて、ｘチャンネルの非ＯＴＮデータユニットのうちの障害が発生している非ＯＴＮデータユニットの数をＯＰＵ＿ＯＨ挿入部１１５＿２に対して出力する。【００８３】
ＯＰＵ＿ＯＨ挿入部１１５＿２は、ＯＤＵｍのＯＰＵオーバーヘッド部１３２の所定のデータ部分（例えば、上述したＰＳＩ１３４中のＲＥＳエリア１３７）に、アラームカウント部１１４から出力される障害の数を示す障害数データ１３８を挿入する。つまり、ＯＰＵ＿ＯＨ挿入部１１５＿２は、ＯＤＵｍのＯＰＵオーバーヘッド部１３２の所定のデータ部分に、ＯＤＵｍにマッピングされたｘチャンネルの非ＯＴＮデータユニットのうちの障害が発生している非ＯＴＮデータユニットの数を示す障害数データ１３８を挿入する。この結果、第４実施形態の送信装置４１０は、第３実施形態の送信装置３１０が生成するＯＤＵｍと同様のＯＤＵｍを生成することができる。【００８４】
以上説明したように、第４実施形態の送信装置４１０によれば、第３実施形態の送信装置３１０が享受する各種効果と同様の効果を好適に享受することができる。加えて、第４実施形態の送信装置４１０によれば、ｘ個のＯＤＵマッピング部２１１、ｘ個のＯＰＵ＿ＯＨ挿入部１１５＿１及びアラーム検出部１１３を含む処理ブロックと、ＯＤＵ多重部１１２、ＯＰＵ＿ＯＨ抽出部１２３、アラームカウント部１１４及びＯＰＵ＿ＯＨ挿入部１１５＿２を含む処理ブロックとが物理的に又は論理的に分離されている場合であっても、上述した各種効果を享受することができる。【００８５】
（５）第５実施形態
続いて、図１１から図１３を参照して、第５実施形態の送信装置５１０及び受信装置５２０について説明する。ここに、図１１は、第５実施形態の送信装置５１０の構成の一例を示すブロック図であり、図１２は、障害数データ１３８が付加されたＯＤＵの具体例を示すデータ構造図であり、図１３は、第５実施形態の受信装置５２０の構成の一例を示すブロック図である。尚、上述した第１実施形態の送信装置１１０及び受信装置１２０から第４実施形態の送信装置４１０及び受信装置４２０が備える各種構成と同一の構成については、同一の参照符号を付してその詳細な説明については省略する。【００８６】
図１１に示すように、第５実施形態の送信装置５１０は、ＯＤＵの１段の多重化を行う第１実施形態の送信装置１１０と比較して、ＯＤＵの２段の（或いは、３段以上の複数段の）多重化を行うという点で異なっている。具体的には、第５実施形態の送信装置５１０は、ＯＤＵフレーム同期部１１１と、「生成手段」の一具体例に相当するＯＤＵ多重部１１２＿１と、アラーム検出部１１３と、アラームカウント部１１４＿１と、「付加手段」の一具体例に相当するＯＰＵ＿ＯＨ挿入部１１５＿１とを夫々が備えるｘ個の送信処理ブロック５１１を備えている。また、第５実施形態の送信装置５１０は更に、「生成手段」の一具体例に相当するＯＤＵ多重部１１２＿２と、アラームカウント部１１４＿２と、「付加手段」の一具体例に相当するＯＰＵ＿ＯＨ挿入部１１５＿２とを備えている。【００８７】
ｘ個の送信処理ブロック５１１の夫々は、第１実施形態の送信装置１１０と同様の構成を有している。【００８８】
具体的には、ｘ個の送信処理ブロック５１１の夫々が備えるＯＤＵフレーム同期部１１１には、ｙ（但し、ｙは１以上の整数）チャンネルの低次のＯＤＵｋ（但し、ｋはｋ＜ｎを満たす整数）が入力される。尚、低次のＯＤＵｋは、「第３データユニット」の一具体例に相当する。ＯＤＵフレーム同期部１１１は、ｙチャンネルの低次のＯＤＵｋの同期を取った上で、ｙチャンネルの低次のＯＤＵｋをＯＤＵ多重部１１２＿１及びアラーム検出部１１３に対して出力する。【００８９】
ｘ個の送信処理ブロック５１１の夫々が備えるＯＤＵ多重部１１２＿１は、ｙチャンネルの低次のＯＤＵｋを多重化する。具体的には、ＯＤＵ多重部１１２＿１は、ｙチャンネルの低次のＯＤＵｋを、ＯＤＵｋよりも高次のＯＤＵｎのＯＰＵペイロード部１３３に多重化する。ＯＤＵ多重部１１２＿１は、ｙチャンネルの低次のＯＤＵｋがＯＰＵペイロード部１３３に多重化された高次のＯＤＵｎを、ＯＰＵ＿ＯＨ挿入部１１５＿１に対して出力する。【００９０】
一方で、ｘ個の送信処理ブロック５１１の夫々が備えるアラーム検出部１１３は、ｙチャンネルの低次のＯＤＵｋの夫々における障害の発生の有無を検出する。アラーム検出部１１３は、障害が発生している低次のＯＤＵｋが検出される都度、障害が検出されたことを示すアラームをアラームカウント部１１４＿１に出力する。【００９１】
ｘ個の送信処理ブロック５１１の夫々が備えるアラームカウント部１１４＿１は、アラーム検出部１１３から出力されるアラームの数をカウントする。アラームカウント部１１４＿１は、ＯＤＵｋが多重化される周期（言い換えれば、高次のＯＤＵｎが生成される周期）に同期して、カウントしたアラームの数をＯＰＵ＿ＯＨ挿入部１１５＿１及びアラームカウント部１１４＿２に出力する。【００９２】
ｘ個の送信処理ブロック５１１の夫々が備えるＯＰＵ＿ＯＨ挿入部１１５＿１は、ＯＤＵ多重部１１２＿１より出力される高次のＯＤＵｎのＯＰＵオーバーヘッド部１３２に対して、各種情報を挿入する。第５実施形態では、ＯＰＵ＿ＯＨ挿入部１１５＿１は、高次のＯＤＵｎのＯＰＵオーバーヘッド部１３２の所定のデータ部分（例えば、上述したＰＳＩ１３４中のＲＥＳエリア１３７）に、アラームカウント部１１４＿１から出力されるアラームの数を示す障害数データ１３８を挿入する。つまり、ＯＰＵ＿ＯＨ挿入部１１５＿１は、高次のＯＤＵｎのＯＰＵオーバーヘッド部１３２の所定のデータ部分に、高次のＯＤＵｎに多重化されたｙチャンネルの低次のＯＤＵｋのうちの障害が発生しているＯＤＵｋの数（或いは、障害が発生しているＯＤＵｋを構成するトリビュータリスロットの数）を示す障害数データ１３８を挿入する。その後、ＯＰＵ＿ＯＨ挿入部１１５＿１は、高次のＯＤＵｎをＯＤＵ多重部１１２＿２に対して出力する。従って、ＯＤＵ多重部１１２＿２には、ｎチャンネルの高次のＯＤＵｎが入力される。【００９３】
ＯＤＵ多重部１１２＿２は、ｘチャンネルの高次のＯＤＵｎを多重化する。具体的には、ＯＤＵ多重部１１２＿２は、ｘチャンネルの高次のＯＤＵｎを更に高次のＯＤＵｍのＯＰＵペイロード部１３３に多重化する。ＯＤＵ多重部１１２＿２は、ｘチャンネルの高次のＯＤＵｎがＯＰＵペイロード部１３３に多重化されたより高次のＯＤＵｍを、ＯＰＵ＿ＯＨ挿入部１１５＿２に対して出力する。【００９４】
一方で、アラームカウント部１１４＿２は、アラームカウント部１１４＿１から出力されるアラームの数の総数をＯＰＵ＿ＯＨ挿入部１１５＿２に出力する。つまり、アラームカウント部１１４＿２は、ｘ個の送信処理ブロック５１１が備えるｘ個のアラームカウント部１１４によりカウントされたアラームの数の総数をＯＰＵ＿ＯＨ挿入部１１５＿２に出力する。【００９５】
ＯＰＵ＿ＯＨ挿入部１１５＿２は、ＯＤＵ多重部１１２＿２より出力されるより高次のＯＤＵｍのＯＰＵオーバーヘッド部１３２の所定のデータ部分（例えば、上述したＰＳＩ１３４中のＲＥＳエリア１３７）に対して、アラームカウント部１１４＿２から出力されるアラームの数を示す障害数データ１３８を挿入する。つまり、ＯＰＵ＿ＯＨ挿入部１１５＿２は、より高次のＯＤＵｍのＯＰＵオーバーヘッド部１３２の所定のデータ部分に、より高次のＯＤＵｍに多重化されたｘチャンネルの高次のＯＤＵｎに更に多重化されているｘ×ｙチャンネルの低次のＯＤＵｋのうちの障害が発生しているＯＤＵｋの数（或いは、障害が発生しているＯＤＵｋを構成するトリビュータリスロットの数）を示す障害数データ１３８を挿入する。【００９６】
第５実施形態の障害数データ１３８の具体例について図１２を参照して説明する。図１２に示すように、ｙ＝８チャンネルのＯＤＵ０（つまり、低次のＯＤＵｋ）がＯＤＵ２（つまり、高次のＯＤＵｎ）に多重化され且つｘ＝２チャンネルのＯＤＵ２がＯＤＵ４（つまり、より高次のＯＤＵｍ）に多重化される例について説明する。この場合、２つの送信処理ブロック５１１の夫々が備えるＯＤＵ多重部１１２＿１は、ＯＤＵフレーム同期部１１１より出力される８チャンネルのＯＤＵ０を、ＯＤＵ２のペイロード部１３３に多重化する。ここで、図１２の相対的に左側に示す第１のＯＤＵ２に多重化される８チャンネルのＯＤＵ０のうち４チャンネルのＯＤＵ０に障害が発生しており且つ図１２の相対的に右側に示す第２のＯＤＵ２に多重化される８チャンネルのＯＤＵ０のうち２チャンネルのＯＤＵ０に障害が発生しているとする。この場合、第１のＯＤＵ２を生成するための送信処理ブロック５１１が備えるアラーム検出部１１３は、障害が発生している４チャンネルのＯＤＵ０の夫々を検出する都度、アラームカウント部１１４＿１に対してアラームを出力する。従って、第１のＯＤＵ２を生成するための送信処理ブロック５１１が備えるアラームカウント部１１４＿１においてカウントされるアラームの数は「４」となる。このため、図１２に示す例では、第１のＯＤＵ２のＯＰＵオーバーヘッド部１３２が含むＰＳＩ１３４中のＲＥＳエリア１３７に挿入される障害数データ１３８は、「４（ＯＤＵ）」という情報を含んでいる。同様に、第２のＯＤＵ２を生成するための送信処理ブロック５１１が備えるアラーム検出部１１３は、障害が発生している２チャンネルのＯＤＵ０の夫々を検出する都度、アラームカウント部１１４＿１に対してアラームを出力する。従って、第２のＯＤＵ２を生成するための送信処理ブロック５１１が備えるアラームカウント部１１４＿１においてカウントされるアラームの数は「２」となる。このため、図１２に示す例では、第２のＯＤＵ２のＯＰＵオーバーヘッド部１３２が含むＰＳＩ１３４中のＲＥＳエリア１３７に挿入される障害数データ１３８は、「２（ＯＤＵ）」という情報を含んでいる。【００９７】
加えて、第５実施形態では、従って、第１のＯＤＵ２を生成するための送信処理ブロック５１１が備えるアラームカウント部１１４＿１によりカウントされるアラームの数「４」と第２のＯＤＵ２を生成するための送信処理ブロック５１１が備えるアラームカウント部１１４＿１によりカウントされるアラームの数「２」は、更にアラームカウント部１１４＿２に対して出力される。従って、アラームカウント部１１４＿２においてカウントされるアラームの数の総数は「６」となる。このため、図１２に示す例では、ＯＤＵ４のＯＰＵオーバーヘッド部１３２が含むＰＳＩ１３４中のＲＥＳエリア１３７に挿入される障害数データ１３８は、「６（ＯＤＵ）」という情報を含んでいる。【００９８】
続いて、第５実施形態の受信装置５２０について説明する。図１３に示すように、第５実施形態の受信装置５２０は、１段の多重化が行われたＯＤＵの分離を行う第１実施形態の受信装置１２０と比較して、２段の（或いは、３段以上の複数段の）多重化が行われたＯＤＵの分離を行うという点で異なっている。具体的には、第５実施形態の受信装置５２０は、「取得手段」の一具体例に相当するＯＤＵフレーム同期部１２１＿１と、「抽出手段」の一具体例に相当するＯＰＵ＿ＯＨ抽出部１２３＿１と、「抽出手段」の一具体例に相当する障害数検出部１２４＿１と、ＯＤＵ分離部１２２＿１と、ｘ個の受信処理ブロック５２１とを備えている。ｘ個の受信ブロック５２１の夫々は、「取得手段」の一具体例に相当するＯＤＵフレーム同期部１２１＿２と、ＯＤＵ分離部１２２＿２と、「抽出手段」の一具体例に相当するＯＰＵ＿ＯＨ抽出部１２３＿２と、「抽出手段」の一具体例に相当する障害数検出部１２４＿２とを備えている。【００９９】
ＯＤＵフレーム同期部１２１＿１には、例えば受信装置５２０に対向する送信装置５１０から送信される高次のＯＤＵｍが入力される。ＯＤＵフレーム同期部１２１＿１は、高次のＯＤＵｍの同期を取った上で、高次のＯＤＵｍをＯＤＵ分離部１２２＿１及びＯＰＵ＿ＯＨ抽出部１２３＿１に対して出力する。【０１００】
ＯＰＵ＿ＯＨ抽出部１２３＿１は、高次のＯＤＵｍのＯＰＵオーバーヘッド部１３２を抽出する。その後、ＯＰＵ＿ＯＨ抽出部１２３＿１は、抽出したＯＰＵオーバーヘッド部１３２を、障害数検出部１２４＿１へと出力する。【０１０１】
障害数検出部１２４＿１は、ＯＰＵ＿ＯＨ抽出部１２３＿１によって抽出されたＯＰＵオーバーヘッド部１３２から、障害数データ１３８を抽出する。これにより、障害数検出部１２４＿１は、ＯＤＵフレーム同期部１２１に入力された高次のＯＤＵｍに多重化されたｘチャンネルの低次のＯＤＵｎに更に多重化されているｘ×ｙチャンネルのより低次のＯＤＵｋを対象として、障害が発生しているＯＤＵｋないしはトリビュータリスロットの数を認識することができる。その結果、障害数検出部１２４＿１は、認識した障害状態に基づいて、伝送路の選択動作ないしは切替動作を制御するアラーム通知切替トリガを出力する。【０１０２】
一方で、ＯＤＵ分離部１２２は、高次のＯＤＵｍから、ｘチャンネルの低次のＯＤＵｎを分離する。その後、ＯＤＵ分離部１２２は、分離したｘチャンネルの低次のＯＤＵｎの夫々を、ｘ個の受信処理ブロック５２１のうちの対応する一つの受信処理ブロック５２１が備えるＯＤＵフレーム同期部１２１＿２に対して出力してもよい。【０１０３】
ｘ個の受信処理ブロック５２１の夫々が備えるＯＤＵフレーム同期部１２１＿２には、ｘチャンネルの低次のＯＤＵｎのうちの対応する一チャンネルのＯＤＵｎが入力される。ＯＤＵフレーム同期部１２１＿２は、低次のＯＤＵｎの同期を取った上で、低次のＯＤＵｎをＯＤＵ分離部１２２＿２及びＯＰＵ＿ＯＨ抽出部１２３＿２に対して出力する。【０１０４】
ｘ個の受信処理ブロック５２１の夫々が備えるＯＤＵ分離部１２２＿２は、低次のＯＤＵｎから、ｙチャンネルのより低次のＯＤＵｋを分離する。ＯＤＵ分離部１２２＿２は、必要に応じて、分離したｙチャンネルのより低次のＯＤＵｋを、当該ＯＤＵｋに対する各種処理を行う処理部へと出力してもよい。【０１０５】
一方で、ｘ個の受信処理ブロック５２１の夫々が備えるＯＰＵ＿ＯＨ抽出部１２３＿２は、低次のＯＤＵｎのＯＰＵオーバーヘッド部１３２を抽出する。その後、ＯＰＵ＿ＯＨ抽出部１２３＿２は、抽出したＯＰＵオーバーヘッド部１３２を、障害数検出部１２４＿２へと出力する。【０１０６】
ｘ個の受信処理ブロック５２１の夫々が備える障害数検出部１２４＿２は、ＯＰＵ＿ＯＨ抽出部１２３＿２によって抽出されたＯＰＵオーバーヘッド部１３２から、障害数データ１３８を抽出する。これにより、障害数検出部１２４＿２は、ｘチャンネルの低次のＯＤＵｎのうちの対応する一チャンネルのＯＤＵｎに多重化されたｙチャンネルのより低次のＯＤＵｋを対象として、障害が発生しているＯＤＵｋないしはトリビュータリスロットの数を認識することができる。その結果、障害数検出部１２４は、認識した障害状態に基づいて、伝送路の選択動作ないしは切替動作を制御するアラーム通知切替トリガを出力する。【０１０７】
以上、説明したように、第５実施形態によれば、ＯＤＵの複数段の多重化が行われている場合であっても、最も高次のＯＤＵｍの同期をとれば、当該ＯＤＵｍに多重化されている最も低次のＯＤＵｋの障害状態を認識することができる。従って、第５実施形態によれば、上述した各種効果を好適に享受することができる。【０１０８】
尚、図１１から図１３に示す例では、ＯＤＵの２段の多重化が行われる例について説明している。しかしながら、ＯＤＵの３段以上の多重化が行われる場合であっても、送信処理ブロック５１１ないしは受信処理ブロック５２１を多段に接続することで、上述した各種効果を好適に享受することができる。具体的には、送信装置５１０であれば、ＯＰＵ＿ＯＨ挿入部１１５＿１から出力されるＯＤＵｎないしはＯＰＵ＿ＯＨ挿入部１１５＿２から出力されるＯＤＵｍが、ＯＤＵの多重化の数に応じて新たに設けられる多段の送信処理ブロック５１１に順次入力されるように構成すれば、上述した動作と同様の動作を行うことができると共に上述した各種効果を享受することができる。同様に、受信装置５２０であれば、ＯＤＵ分離部１２２＿１から出力されるＯＤＵｎないしはＯＤＵ分離部１２２＿２から出力されるＯＤＵｋの夫々が、ＯＤＵの多重化の数に応じて新たに設けられる多段の受信処理ブロック５２１に順次入力されるように構成すれば、上述した動作と同様の動作を行うことができると共に上述した各種効果を享受することができる。【０１０９】
（６）第６実施形態
続いて、図１４から図１６を参照して、第６実施形態の送信装置６１０及び受信装置６２０について説明する。ここに、図１４は、第６実施形態の送信装置６１０の構成の一例を示すブロック図であり、図１５は、障害数データ１３８が付加されたＯＤＵの具体例を示すデータ構造図であり、図１６は、第６実施形態の受信装置６２０の構成の一例を示すブロック図である。尚、上述した第１実施形態の送信装置１１０及び受信装置１２０から第５実施形態の送信装置５１０及び受信装置５２０が備える各種構成と同一の構成については、同一の参照符号を付してその詳細な説明については省略する。【０１１０】
図１４に示すように、第６実施形態の送信装置６１０は、ＯＤＵｋが多重化されたＯＤＵｎを更にＯＤＵｍに多重化する第５実施形態の送信装置５１０と比較して、ＯＤＵｋが多重化されたＯＤＵｎ及びＯＤＵｋが多重化されていないＯＤＵｎを更にＯＤＵｍに多重化するという点で異なっている。具体的には、第６実施形態の送信装置６１０は、第５実施形態の送信装置５１０と比較して、ｘ個の送信処理ブロック５１１のうちのｚ（但し、ｚは１≦ｚ≦ｘを満たす整数）個の送信処理ブロック５１１が、ＯＤＵフレーム同期部１１１及びアラーム検出部を夫々が備えるｚ個の送信処理ブロック６１１に置き換えられているという点で異なっている。【０１１１】
ｚ個の送信処理ブロック６１１の夫々が備えるＯＤＵフレーム同期部１１１には、ｙチャンネルの低次のＯＤＵｋに代えて、ＯＤＵｎが直接入力される。ＯＤＵフレーム同期部１１１は、ＯＤＵｎの同期を取った上で、ＯＤＵｎをＯＤＵ多重部１１２＿２及びアラーム検出部１１３に対して出力する。【０１１２】
ｚ個の送信処理ブロック６１１の夫々が備えるアラーム検出部１１３は、ｙチャンネルの低次のＯＤＵｋに換えて、ＯＤＵｎにおける障害の発生の有無を検出する。アラーム検出部１１３は、障害が発生しているＯＤＵｎが検出される都度、障害が検出されたことを示すアラームをアラームカウント部１１４＿２に出力する。【０１１３】
一方で、ｘ−ｚ個の送信処理ブロック５１１は、第５実施形態と同様の動作を行う。その結果、ＯＤＵ多重部１１２＿２には、ｘ−ｚ個の送信処理ブロック５１１から出力されるｘ−ｚチャンネルのＯＤＵｎ（つまり、夫々にｙチャンネルのＯＤＵｋが多重化されたｘ−ｚチャンネルのＯＤＵｎ）及びｚ個の送信処理ブロック６１１から出力されるｚチャンネルのＯＤＵｎが入力される。以降の動作（つまり、ＯＤＵ多重部１１２＿２、アラームカウント部１１４＿２及びＯＰＵ＿ＯＨ挿入部１１５＿２の夫々の動作）は、第５実施形態と同様に行われる。【０１１４】
第６実施形態の障害数データ１３８の具体例について図１５を参照して説明する。図１５に示すように、ｙ＝８チャンネルのＯＤＵ０が多重化された１チャンネルの第１のＯＤＵ２及びＯＤＵ０が多重化されていないｚ＝４チャンネルの第１のＯＤＵ２を含むｘ＝５チャンネルのＯＤＵ２がＯＤＵ４に多重化される例について説明する。この場合、１つの送信処理ブロック５１１が備えるＯＤＵ多重部１１２＿１は、ＯＤＵフレーム同期部１１１より出力される８チャンネルのＯＤＵ０を、第１のＯＤＵ２のＯＰＵペイロード部１３３に多重化する。ここで、第１のＯＤＵ２に多重化される８チャンネルのＯＤＵ０のうち４チャンネルのＯＤＵ０に障害が発生しているとする。この場合、第１のＯＤＵ２を生成するための送信処理ブロック５１１が備えるアラーム検出部１１３は、障害が発生している４チャンネルのＯＤＵ０の夫々を検出する都度、アラームカウント部１１４＿１に対してアラームを出力する。従って、第１のＯＤＵ２を生成するための送信処理ブロック５１１が備えるアラームカウント部１１４＿１においてカウントされるアラームの数は「４」となる。このため、図１５に示す例では、第１のＯＤＵ２のＯＰＵオーバーヘッド部１３２が含むＰＳＩ１３４中のＲＥＳエリア１３７に挿入される障害数データ１３８は、「４（ＯＤＵ）」という情報を含んでいる。【０１１５】
一方で、４チャンネルの第２のＯＤＵ２のうち２チャンネルのＯＤＵ２に障害が発生しているとする。この場合、４チャンネルの第２のＯＤＵ２に対応する４つの送信処理ブロック６１１のうちの２つの送信処理ブロック６１１が備えるアラーム検出部１１３が、アラームカウント部１１４＿２に対してアラームを出力する。従って、アラームカウント部１１４＿２には、第１のＯＤＵ２を生成するための送信処理ブロック５１１が備えるアラームカウント部１１４＿１によりカウントされるアラームの数「４」と、４チャンネルの第２のＯＤＵ２に対応する４つの送信処理ブロック６１１のうちの２つの送信処理ブロック６１１が備えるアラーム検出部１１３によりカウントされるアラームの数「２」が出力される。このため、図１５に示す例では、ＯＤＵ４のＯＰＵオーバーヘッド部１３２が含むＰＳＩ１３４中のＲＥＳエリア１３７に挿入される障害数データ１３８は、「６（ＯＤＵ）」という情報を含んでいる。【０１１６】
続いて、第６実施形態の受信装置６２０について説明する。図１６に示すように、第６実施形態の受信装置６２０は、ＯＤＵｋが多重化されたＯＤＵｎを更に多重化することで生成されるＯＤＵｍの分離を行う第５実施形態の受信装置５２０と比較して、ＯＤＵｋが多重化されたＯＤＵｎ及びＯＤＵｋが多重化されていないＯＤＵｎを更に多重化することで生成されるＯＤＵｍの分離を行うという点で異なっている。具体的には、第６実施形態の受信装置６２０は、第５実施形態の受信装置５２０と比較して、ｘ個の受信処理ブロック５２１のうちのｚ（但し、ｚは１≦ｚ≦ｘを満たす整数）個の受信処理ブロック５２１が省略されているという点で異なっている。つまり、第６実施形態の受信装置６２０では、ＯＤＵ分離部１２２＿１から出力されるｘチャンネルのＯＤＵｎのうち、(i)ｙチャンネルのＯＤＵｋが多重化されているｘ−ｚチャンネルのＯＤＵｋがｘ−ｚ個の受信処理ブロック５２１に出力される一方で、(ii)ｙチャンネルのＯＤＵｋが多重化されていないｚチャンネルのＯＤＵｋがそのまま各種処理部へと出力される。尚、その他の構成及び動作は、第５実施形態の受信装置５２０と同様である。【０１１７】
以上、説明したように、第６実施形態によれば、ＯＤＵの複数段の多重化が行われている場合であっても、上述した各種効果を好適に享受することができる。【０１１８】
（７）第７実施形態
続いて、図１７を参照して、第７実施形態の送信装置７１０について説明する。ここに、図１７は、第７実施形態の送信装置７１０の構成の一例を示すブロック図である。尚、上述した第１実施形態の送信装置１１０及び受信装置１２０から第６実施形態の送信装置６１０及び受信装置６２０が備える各種構成と同一の構成については、同一の参照符号を付してその詳細な説明については省略する。【０１１９】
図１７に示すように、第７実施形態の送信装置７１０は、第５実施形態の送信装置５１０に対して第４実施形態の送信装置４１０の構成を適用することで得られる送信装置に相当する。具体的には、第７実施形態の送信装置７１０は、ｘ個の送信処理ブロック５１１の夫々が備えるアラームカウント部１１４＿１からアラームカウント部１１４＿２に対してアラームの数が出力される第５実施形態の送信装置５１０と比較して、ｘ個の送信処理ブロック５１１の夫々より出力されるＯＤＵｎから抽出されるＯＰＵオーバーヘッド部１３２がアラームカウント部１１４＿２に対して出力されるという点で行っている。【０１２０】
具体的には、第７実施形態の送信装置７１０は、第５実施形態の送信装置５１０と比較して、アラームカウント部１１４＿１が、カウントしたアラームの数をＯＰＵ＿ＯＨ挿入部１１５＿１のみに出力するという点で異なっている。また、第７実施形態の送信装置７１０は、第５実施形態の送信装置５１０と比較して、ＯＰＵ＿ＯＨ抽出部１２３を更に備えている。ＯＰＵ＿ＯＨ抽出部１２３は、ｘ個の送信処理ブロック５１１の夫々から出力されるＯＤＵｎから、ＯＰＵオーバーヘッド部１３２を抽出する。ＯＰＵ＿ＯＨ抽出部１２３は、抽出したｘ個のＯＰＵオーバーヘッド部１３２をアラームカウント部１１４＿２に対して出力する。【０１２１】
アラームカウント部１１４＿２は、第４実施形態のアラームカウント部１１４と同様に、ＯＰＵ＿ＯＨ抽出部１２３から出力されるｘ個のＯＰＵオーバーヘッド部１３２に基づいて、ｘ個の送信処理ブロック５１１が備えるｘ個のアラームカウント部１１４によりカウントされたアラームの数の総数をＯＰＵ＿ＯＨ挿入部１１５＿２に出力する。その結果、ＯＰＵ＿ＯＨ挿入部１１５＿２は、ＯＤＵ多重部１１２＿２より出力されるより高次のＯＤＵｍのＯＰＵオーバーヘッド部１３２の所定のデータ部分（例えば、上述したＰＳＩ１３４中のＲＥＳエリア１３７）に対して、アラームカウント部１１４＿２から出力されるアラームの数を示す障害数データ１３８を挿入する。【０１２２】
以上説明したように、第７実施形態の送信装置７１０によれば、第５実施形態の送信装置５１０が享受する各種効果と同様の効果を好適に享受することができる。また、第７実施形態の送信装置７１０によれば、ｘ個の送信処理ブロック５１１を含む処理ブロックと、ＯＤＵ多重部１１２＿２、ＯＰＵ＿ＯＨ抽出部１２３、アラームカウント部１１４＿２及びＯＰＵ＿ＯＨ挿入部１１５＿２を含む処理ブロックとが物理的に又は論理的に分離されている場合であっても、上述した各種効果を享受することができる。
【符号の説明】
【０１２３】
１１０、２１０、３１０、４１０、５１０、６１０、７１０  送信装置
１１１  ＯＤＵフレーム同期部
１１２  ＯＤＵ多重部
１１３  アラーム検出部
１１４  アラームカウント部
１１５  ＯＰＵ＿ＯＨ挿入部
２１１  ＯＤＵマッピング部
１２０、２２０、３２０、５２０、６２０、  受信装置
１２１  ＯＤＵフレーム同期部
１２２  ＯＤＵ分離部
１２３  ＯＰＵ＿ＯＨ抽出部
１２４  障害数検出部
２２１  ＯＤＵデマッピング部
１３２  ＯＰＵオーバーヘッド部
１３３  ＯＰＵペイロード部
１３４  ＰＳＩ
１３７  ＲＥＳエリア
１３８  障害数データ
【図１】
0005408339.tif 000002
【図２】
0005408339.tif 000003
【図３】
0005408339.tif 000004
【図４】
0005408339.tif 000005
【図５】
0005408339.tif 000006
【図６】
0005408339.tif 000007
【図７】
0005408339.tif 000008
【図８】
0005408339.tif 000009
【図９】
0005408339.tif 000010
【図１０】
0005408339.tif 000011
【図１１】
0005408339.tif 000012
【図１２】
0005408339.tif 000013
【図１３】
0005408339.tif 000014
【図１４】
0005408339.tif 000015
【図１５】
0005408339.tif 000016
【図１６】
0005408339.tif 000017
【図１７】
0005408339.tif 000018